(57)【要約】  車両の内部に位置づけられるように構成されたエアバッグシステムアセンブリは、乗客用座席の前方に位置づけられるように構成された後方壁と、エアバッグシステムとを含む。後方壁は前面及び後面を含み、後方壁は少なくともその前面において複数の弱化線によって形成された第１フラップを含む。エアバッグシステムは、第１エアバッグモジュールを少なくとも含み、第１エアバッグモジュールは、前面及び後面を有する第１エアバッグ支持プレートを有する。第１エアバッグ支持プレートは、後方壁の前面に固定される。第１エアバッグ支持プレートは、衝突状態の場合に展開するように構成されるとともに、第１エアバッグ支持プレートの後面に設けられた第１エアバッグを含む。第１エアバッグは第１フラップに近接して位置づけられる。
2015522466.tif 000002
【特許請求の範囲】
【請求項１】
車両の内部に位置づけられるように構成されたエアバッグシステムアセンブリであって、
乗客用座席の前方に位置づけられるように構成された後方壁と、
前面及び後面を有する第１エアバッグ支持プレートを有する第１エアバッグモジュールを少なくとも含むエアバッグシステムとを備え、
前記後方壁が、前面及び後面を有するとともに、少なくとも前記前面において複数の弱化線によって形成された第１フラップを含み、
前記第１エアバッグ支持プレートが、前記後方壁の前記前面に固定され、
前記第１エアバッグ支持プレートが、衝突状態の場合に展開するように構成されるとともに前記第１エアバッグ支持プレートの前記後面に設けられた第１エアバッグを含み、
前記第１エアバッグが前記第１フラップに近接して位置づけられるエアバッグシステムアセンブリ。
【請求項２】
前記複数の弱化線が、頂部ヒンジ部及び底部ヒンジ部の一方を協働して画定する左弱化線と、右弱化線と、頂部弱化線及び底部弱化線の一方とを含む請求項１に記載のエアバッグシステムアセンブリ。
【請求項３】
前記エアバッグシステムが、前面及び後面を有する第２エアバッグ支持プレートを有する第２エアバッグモジュールを少なくとも含み、
前記第２エアバッグ支持プレートが、前記後方壁の前記前面に固定され、
前記第２エアバッグ支持プレートが、衝突状態の場合に展開するように構成され且つ前記第２エアバッグ支持プレートの前記後面に設けられた第２エアバッグを含み、
前記第２エアバッグが前記第１フラップに近接して位置づけられ、
前記第１エアバッグ及び前記第２エアバッグが、前記車両内の別々の乗客と関連付けられるように構成される請求項２に記載のエアバッグシステムアセンブリ。
【請求項４】
前記エアバッグシステムがさらに、第１インフレータタンクを少なくとも備え、前記第１インフレータタンクが前記第１エアバッグ支持プレートの前記前面に位置づけられる請求項１に記載のエアバッグシステムアセンブリ。
【請求項５】
前記後方壁が上部パネル、下部パネル、及び前記上部パネルと前記下部パネルとの間に位置づけられた中間パネルを含み、
前記上部パネルと前記下部パネルが垂直に整合しないように位置づけられる請求項１に記載のエアバッグシステムアセンブリ。
【請求項６】
前記第２エアバッグモジュールが、前記後方壁において前記第１エアバッグモジュールの下方に位置づけられ、
前記第１エアバッグモジュールが、衝突状態の場合に乗客の頭によって接触されるように位置づけられ、
前記第２エアバッグモジュールが、前記乗客の前記頭の下方の体の一部分によって接触されるように位置づけられる請求項３に記載のエアバッグシステムアセンブリ。
【請求項７】
前記第１エアバッグが、前記第１エアバッグの展開後に乗客の頭及び前記乗客の前記頭の下方の体の一部分によって接触されるのに十分な大きさになるように構成される請求項１に記載のエアバッグシステムアセンブリ。
【請求項８】
車両の内部に位置づけられるように構成されたクローゼットモニュメントアセンブリであって、
協働してモニュメント内部を画定する前方壁、後方壁、外方壁及び内方壁を含むクローゼットモニュメントと、
前記後方壁に取り付けられた又は前記モニュメント内部に設けられたエアバッグシステムとを備え、
前記内方壁が、第１収納室へのアクセスをもたらす第１ドアを少なくとも含み、
前記エアバッグシステムが、衝突状態の場合に展開するように構成された第１エアバッグを少なくとも含むクローゼットモニュメントアセンブリ。
【請求項９】
前記後方壁が前面及び後面を含み、
前記エアバッグシステムが前記モニュメント内部に設けられるとともに前記後方壁の前記前面に固定され、
前記後方壁が、その前記前面において複数の弱化線によって形成された第１フラップを含み、
前記第１エアバッグが前記第１フラップに近接して位置づけられる請求項８に記載のクローゼットモニュメントアセンブリ。
【請求項１０】
前記複数の弱化線が、頂部ヒンジ部及び底部ヒンジ部の一方を協働して画定する左弱化線と、右弱化線と、頂部弱化線及び底部弱化線の一方とを含む請求項９に記載のクローゼットモニュメントアセンブリ。
【請求項１１】
前記エアバッグシステムが少なくとも部分的にエアバッグ室に格納され、
前記内方壁が前記エアバッグ室へのアクセスをもたらすエアバッグアクセスドアを含む請求項１０に記載のクローゼットモニュメントアセンブリ。
【請求項１２】
前記エアバッグシステムが、前面及び後面を有するエアバッグ支持プレートを備えるエアバッグモジュールを含み、
前記第１エアバッグが前記エアバッグ支持プレートの前記後面に設けられ、
前記エアバッグ支持プレートが前記クローゼットモニュメントの前記後方壁に固定される請求項８に記載のクローゼットモニュメントアセンブリ。
【請求項１３】
前記エアバッグシステムがさらに、第１インフレータタンクを少なくとも備え、
前記第１インフレータタンクが前記エアバッグ支持プレートの前記前面に位置づけられる請求項１２に記載のクローゼットモニュメントアセンブリ。
【請求項１４】
前記クローゼットモニュメントが上部及び下部を含み、
前記上部の奥行が前記下部の奥行よりも大きい請求項８に記載のクローゼットモニュメントアセンブリ。
【請求項１５】
前記後方壁が上部パネル、下部パネル、及び前記上部パネルと前記下部パネルとの間に位置づけられた中間パネルを含む請求項１４に記載のクローゼットモニュメントアセンブリ。
【請求項１６】
前記後方壁の前記上部パネルが前面及び後面を含み、
前記エアバッグシステムが前記モニュメント内部に設けられるとともに前記上面パネルの前記前面に固定され、
前記後方壁が、その前記前面において複数の弱化線によって形成された第１フラップを含み、
前記第１エアバッグが前記第１フラップに近接して位置づけられる請求項１５に記載のクローゼットモニュメントアセンブリ。
【請求項１７】
前記エアバッグシステムがエアバッグ室に格納され、
前記内方壁が前記エアバッグ室へのアクセスをもたらすエアバッグアクセスドアを含む請求項１６に記載のクローゼットモニュメントアセンブリ。
【請求項１８】
前記エアバッグシステムが、前面及び後面を有するエアバッグ支持プレートを備えるエアバッグモジュールを含み、
前記第１エアバッグが前記エアバッグ支持プレートの前記後面に設けられ、
前記エアバッグ支持プレートが前記後方壁に固定される請求項１５に記載のクローゼットモニュメントアセンブリ。
【請求項１９】
車両の内部に位置づけられるように構成された調理室モニュメントアセンブリであって、
協働してモニュメント内部を画定する前方壁、後方壁、外方壁及び内方壁を含む調理室モニュメントと、
前記調理室モニュメントの前記後方壁に固定された第１及び第２エアバッグ支持プレートをそれぞれ含む第１及び第２エアバッグモジュールとを備え、
前記後方壁が、前面及び後面、前記後方壁において形成された第１弱化線の組によって形成された第１フラップ、並びに前記後方壁において形成された第２弱化線の組によって形成された第２フラップを含み、
前記第１及び第２エアバッグ支持プレートが、前面及び後面、衝突状態の場合に展開するように構成され且つ前記第１エアバッグ支持プレートの前記後面に設けられた第１エアバッグ、並びに及び衝突状態の場合に展開するように構成され且つ前記第２エアバッグ支持プレートの前記後面に設けられた第２エアバッグをそれぞれ含み、
前記第１エアバッグが前記第１フラップに近接して位置づけられ、前記第２エアバッグが前記第２フラップに近接して位置づけられる調理室モニュメントアセンブリ。
【請求項２０】
前記弱化線が前記後方壁に形成された引裂シームを備える請求項１９に記載の調理室モニュメントアセンブリ。
【請求項２１】
前記第１エアバッグ支持プレートが、その前記前面に固定された第１インフレータタンクを含み、
前記第２エアバッグ支持プレートが、その前記前面に固定された第２インフレータタンクを含む請求項２０に記載の調理室モニュメントアセンブリ。
【請求項２２】
前記第１エアバッグモジュールが、前記第１エアバッグ支持プレートから離れた場所において前記調理室モニュメントの一部分に固定された第１インフレータタンクを含み、
前記第２エアバッグモジュールが、前記第２エアバッグ支持プレートから離れた場所において前記調理室モニュメントの一部分に固定された第２インフレータタンクを含む請求項１９に記載の調理室モニュメントアセンブリ。
【請求項２３】
前記調理室モニュメントの前記後方壁に固定された第３エアバッグ支持プレートを含む第３エアバッグモジュールをさらに備え、
前記第３エアバッグ支持プレートが、前面及び後面、並びに衝突状態の場合に展開するように構成されるとともに前記第３エアバッグ支持プレートの前記後面に設けられた第３エアバッグを含み、
前記第３エアバッグが、前記後方壁において形成された第３弱化線の組によって形成された第３フラップに近接して位置づけられる請求項１９に記載の調理室モニュメントアセンブリ。
【請求項２４】
少なくとも前記第１エアバッグモジュールが、前記第１エアバッグ支持プレートに近接して位置づけられた第１ドアを含み、
前記第１ドアが、開位置と閉位置との間で可動であり、フレキシブルストラップにより前記後方壁の前記前面にヒンジ式に固定される請求項１９に記載の調理室モニュメントアセンブリ。
【発明の詳細な説明】
【技術分野】
【０００１】
関連出願の参照情報：本願は、２０１２年６月７日に出願された米国仮特許出願第６１／６５６，９８３号、２０１２年９月４日に出願された米国仮特許出願第６１／６９６，６９７号及び２０１３年４月９日に出願された米国仮特許出願第６１／８１０，２０４号の利益を主張し、それらの開示全てをここに援用して本文の記載の一部とする。
【０００２】
本発明は一般的に航空機のモニュメント（構造体、構造物）に関し、より具体的には乗客用座席の前方に位置づけられるとともにエアバッグシステムを含む航空機のモニュメントに関する。
【背景技術】
【０００３】
エアバスＡ３２０又はボーイング７３７のような民間航空機は、典型的には複数のモジュール式部品から構成されており、これらモジュール式部品の大きさ、重さ及び構成は、機体寸法、美観及び安全性を含む多くの事項を考慮することにより決定されている。これらの要件の多くは、法律又は規則によって課せられている。頭上の収納スペース（手荷物収納場所）、座席、化粧室、調理室、クローゼット（物入れ用のスペース）、照明装置等の航空機の構成部品は全て、厳密に限られた空間内で機能することが求められる。
【０００４】
航空機の製造業者は、運輸会社が課しているコスト、重量、保守による休止時間及び安全性についての制限内で、乗客及び乗務員のためのより高い快適性及び実用性を実現するために、及び、座席を追加することによる増収方法を見出すために、航空機の内装のデザインを常に改善している。民間旅客機は一般的に、乗客及び乗務員が使うためのクローゼットを備える。
【０００５】
従来技術の航空機のモニュメントは典型的に、矩形の設置面を有する固定された構造体である。いくつかの航空機において、モニュメントは、乗客用座席のすぐ前方に位置づけられる。
【図面の簡単な説明】
【０００６】
【図１】図１は、本発明の好ましい実施形態に従うクローゼットモニュメントアセンブリの斜視図であり、隠れ線でフラップを示している。
【図１Ａ】図１Ａは、図１のクローゼットモニュメントアセンブリの上部パネルの内側面の立面図であり、該上部パネルに形成された切り込みを示している。
【図１Ｂ】図１Ｂは、切り込みのうちの一つのＶ字型形状（断面形状）を示す断面図である。
【図１Ｃ】図１Ｃは、切り込みのうちの一つの別の断面形状を示す断面図である。
【図１Ｄ】図１Ｄは、引裂シーム（テアシーム）の断面図である。
【図２】図２は、図１のクローゼットモニュメントアセンブリの後部立面図である。
【図３】図３は、図１のクローゼットモニュメントアセンブリの側部立面図であり、クローゼットモニュメントアセンブリに近接した座席に座っている乗客を示している。
【図４】図４は、図１のクローゼットモニュメントアセンブリの斜視図であり、中の構成部品を示すために上部パネル及び下部パネルが取り除かれている。
【図４Ａ】図４Ａは、図１のクローゼットモニュメントアセンブリのエアバッグモジュールの後面斜視図である。
【図５】図５は、図１のクローゼットモニュメントアセンブリの一部分の内面図であり、その中に設けられたエアバッグモジュールを示している。
【図５Ａ】図５Ａは、図１のクローゼットモニュメントアセンブリのエアバッグモジュールの前面斜視図である。
【図６】図６は、本発明の別の好ましい実施形態に従うクローゼットモニュメントアセンブリの側部立面図である。
【図７】図７は、本発明の別の好ましい実施形態に従うモニュメントアセンブリの斜視図である。
【図７Ａ】図７Ａは、図７のモニュメントアセンブリの側部立面図であり、エアバッグが該モニュメントアセンブリから展開している。
【図７Ｂ】図７Ｂは、図７のモニュメントアセンブリの側部立面図であるが、エアバッグシステムが該モニュメントアセンブリの後方壁に設けられており、エアバッグが該モニュメントアセンブリから展開している。
【図８】図８は、二つの概して球状のエアバッグが展開位置にあるモニュメントアセンブリの斜視図である。
【図９】図９は、本発明の別の好ましい実施形態に従う、１つのエアバッグが展開状態にあるモニュメントアセンブリの斜視図である。
【図１０】図１０は、本発明の別の好ましい実施形態に従う、垂直方向に間隔を置いて配置された複数のエアバッグを備えるモニュメントアセンブリの側部立面図である。
【図１１】図１１は、本発明の別の好ましい実施形態に従う、列全体を保護する一つの大きなエアバッグを備えるモニュメントアセンブリの側部立面図である。
【図１２】図１２は、図１１のモニュメントアセンブリの斜視図である。
【図１３】図１３は、本発明の別の好ましい実施形態に従うモニュメントアセンブリの斜視図であり、該モニュメントアセンブリは複数の取り付け点を備え、エアバッグは畳まれた状態である。
【図１４】図１４は、畳まれた状態の図１３のエアバッグを複数の固定点と共に示す図である。
【図１５】図１５は、図１３のエアバッグが膨らんだ後の図である。
【図１６】図１６は、図１３のモニュメントアセンブリの斜視図であり、エアバッグが展開した状態を示す。
【図１７】図１７は、本文で教示されるモニュメントアセンブリの別の実施形態の外側形状の側部立面図である。
【図１８】図１８は、本文で教示されるモニュメントアセンブリの別の実施形態の外側形状の側部立面図である。
【図１９】図１９は、本発明の好ましい実施形態に従う調理室モニュメントアセンブリの斜視図であり、エアバッグモジュールを示すために後方壁の一部分が切り欠かれている。
【図２０】図２０は、エアバッグモジュールの斜視図である。
【図２１】図２１は、離れた場所にインフレータタンクを備えるエアバッグモジュールの斜視図である。
【図２２】図２２は、本発明の好ましい実施形態に従う、引裂シームを含むエアバッグモジュールの切り欠き断面図である。
【図２３】図２３は、図２２のエアバッグモジュールの一部分の切り欠き断面図であり、ファブリックヒンジ（織物ヒンジ）を示している。
【図２４】図２４は、図２２のエアバッグモジュールの切り欠き断面図であり、引裂シームにおいてフラップが引き剥がされた状態を示す。
【図２５】図２５は、図２２のエアバッグモジュールの別の切り欠き断面図であり、ファブリックヒンジを示している。
【図２６】図２６は、衝突状態後にエアバッグにぶつかっている乗客の側部立面図である。
【図２７】図２７は、本発明の別の好ましい実施形態に従うエアバッグモジュールの側部断面図である。
【発明の概要】
【課題を解決するための手段】
【０００７】
本発明の第１の態様に従うと、車両の内部に位置づけられるように構成されたエアバッグシステムアセンブリであって、乗客用座席の前方に位置づけられるように構成された後方壁と、エアバッグシステムとを含むエアバッグシステムアセンブリが提供される。前記後方壁は前面及び後面を有し、前記後方壁は、少なくとも前記前面において複数の弱化線（脆弱線）によって形成された第１フラップを含む。前記エアバッグシステムは、前面及び後面を有する第１エアバッグ支持プレートを有する第１エアバッグモジュールを少なくとも含む。前記第１エアバッグ支持プレートは、前記後方壁の前記前面に固定され、前記第１エアバッグ支持プレートは、衝突状態の場合に展開するように構成されるとともに前記第１エアバッグ支持プレートの前記後面に設けられた第１エアバッグを含む。前記第１エアバッグは前記第１フラップに近接して位置づけられる。好ましい実施形態において、前記複数の弱化線は、頂部ヒンジ部及び底部ヒンジ部の一方を協働して画定する左弱化線と、右弱化線と、頂部弱化線及び底部弱化線の一方とを含む。好ましくは、前記エアバッグシステムは、前面及び後面を有する第２エアバッグ支持プレートを有する第２エアバッグモジュールを少なくとも含む。前記第２エアバッグ支持プレートは、前記後方壁の前記前面に固定され、前記第２エアバッグ支持プレートは、衝突状態の場合に展開するように構成され且つ前記第２エアバッグ支持プレートの前記後面に設けられた第２エアバッグを含む。前記第２エアバッグは前記第１フラップに近接して位置づけられ、前記第１エアバッグ及び前記第２エアバッグは、前記車両内の別々の乗客と関連づけられるように構成される。
【０００８】
好ましい実施形態において、前記エアバッグシステムはさらに、第１インフレータタンク（空気入れタンク）を少なくとも備え、前記第１インフレータタンクは前記第１エアバッグ支持プレートの前記前面に位置づけられる。好ましくは、前記後方壁は、上部パネル、下部パネル、及び前記上部パネルと前記下部パネルとの間に位置づけられた中間パネルを含む。前記上部パネル及び前記下部パネルは、垂直に整合しない（整列しない）ように位置づけられる。好ましい実施形態において、前記第２エアバッグモジュールは、前記後方壁において前記第１エアバッグモジュールの下方に位置づけられる。前記第１エアバッグモジュールは、衝突状態の場合に乗客の頭によって接触されるように位置づけられ、前記第２エアバッグモジュールは、前記乗客の前記頭の下方の体の一部分によって接触されるように位置づけられる。別の実施形態において、前記第１エアバッグは、前記第１エアバッグの展開後に乗客の頭及び前記乗客の前記頭の下方の体の一部分によって接触されるのに十分な大きさになるように構成される。
【０００９】
本発明の別の態様に従うと、車両の内部に位置づけられるように構成されたクローゼットモニュメントアセンブリが提供される。前記クローゼットモニュメントアセンブリは、協働してモニュメント内部を画定する前方壁、後方壁、外方壁及び内方壁を含むクローゼットモニュメントと、前記後方壁に取り付けられた又は前記モニュメント内部に設けられたエアバッグシステムを含む。前記内方壁は、第１収納室へのアクセスをもたらす第１ドアを少なくとも含む。前記エアバッグシステムは、衝突状態の場合に展開するように構成された第１エアバッグを少なくとも含む。前記後方壁は前面及び後面を含む。前記エアバッグシステムは、前記モニュメント内部に設けられるとともに前記後方壁の前記前面に固定される。前記後方壁はその前記前面において複数の弱化線によって形成された第１フラップを含み、前記第１エアバッグは前記第１フラップに近接して位置づけられる。好ましい実施形態において、前記エアバッグシステムは少なくとも部分的にエアバッグ室に格納され、前記内方壁は前記エアバッグ室へのアクセスをもたらすエアバッグアクセスドアを含む。好ましくは、前記クローゼットモニュメントは上部及び下部を含み、前記上部の奥行は前記下部の奥行よりも大きい。
【００１０】
本発明のさらに別の態様に従うと、車両の内部に位置づけられるように構成された調理室モニュメントアセンブリが提供される。前記調理室モニュメントアセンブリは、協働してモニュメント内部を画定する前方壁、後方壁、外方壁及び内方壁を含む調理室モニュメントを含む。前記後方壁は、前面及び後面、前記後方壁において形成された第１弱化線の組によって形成された第１フラップ、並びに前記後方壁において形成された第２弱化線の組によって形成された第２フラップを含む。前記調理室モニュメントアセンブリはまた、前記調理室モニュメントの前記後方壁に固定された第１及び第２エアバッグ支持プレートをそれぞれ含む第１及び第２エアバッグモジュールを含む。前記第１及び第２エアバッグ支持プレートは前面及び後面、衝突状態の場合に展開するように構成され且つ前記第１エアバッグ支持プレートの前記後面に設けられた第１エアバッグ並びに衝突状態の場合に展開するように構成され且つ前記第２エアバッグ支持プレートの前記後面に設けられた第２エアバッグをそれぞれ含む。前記第１エアバッグは、前記第１フラップに近接して位置づけられ、前記第２エアバッグは前記第２フラップに近接して位置づけられる。好ましい実施形態において、前記弱化線は前記後方壁に形成された引裂シームを備える。好ましくは、前記第１エアバッグ支持プレートは、その前記前面に固定された第１インフレータタンクを含み、前記第２エアバッグ支持プレートは、その前記前面に固定された第２インフレータタンクを含む。別の実施形態において、前記第１エアバッグモジュールは、前記第１エアバッグ支持プレートから離れた場所において前記調理室モニュメントの一部分に固定された第１インフレータタンクを含み、前記第２エアバッグモジュールは、前記第２エアバッグ支持プレートから離れた場所において前記調理室モニュメントの一部分に固定された第２インフレータタンクを含む。
【００１１】
好ましい実施形態において、前記調理室モニュメントアセンブリはさらに、前記調理室モニュメントの前記後方壁に固定された第３エアバッグ支持プレートを含む第３エアバッグモジュールを含む。前記第３エアバッグ支持プレートは、前面及び後面、並びに衝突状態の場合に展開するように構成されるとともに前記第３エアバッグ支持プレートの前記後面に設けられた第３エアバッグを含む。前記第３エアバッグは、前記後方壁において形成された第３弱化線の組によって形成された第３フラップに近接して位置づけられる。好ましくは、少なくとも前記第１エアバッグモジュールは、前記第１エアバッグ支持プレートに近接して位置づけられた第１ドアを含む。前記第１ドアは、開位置と閉位置との間で可動であり、フレキシブルストラップにより前記後方壁の前記前面にヒンジ式に固定される。
【００１２】
本発明の実施形態は、概して乗客輸送車両において用いるためのエアバッグに関する。エアバッグは万一衝突状態が起こった場合に乗客が前方へ勢いよく投げ出されるのを安全に止めるように設計される。好ましい実施形態において、本発明は、好ましくは乗客用座席の列（例えば最前列など）の前方に位置づけられるモニュメントを含む航空機クローゼットエアバッグシステムを含む。該システムは、エアバッグをクローゼットの後方壁に固定するとともに、展開時にエアバッグを外部へと乗客に向けて方向づける支持アセンブリを含む。好ましい実施形態において、クローゼットの後方壁は、壁に部分的に切れ目を入れる（構造的に弱める）ことによりエアバッグの展開を促進する。エアバッグは、エアバッグ制御ユニットによって制御される少なくとも一つのガスインフレータ（空気入れ）によって展開されることが好ましい。エアバッグ制御ユニットは、衝突状態を検出し、それに応じてガスインフレータを始動させる。
【００１３】
別の実施形態において、エアバッグモジュール（エアバッグクッション、ボックス、インフレータ等）は、（モニュメントの内側ではなく）モニュメント壁の外側に取り付け可能である。
【発明の効果】
【００１４】
使用時において、前列のモニュメントにより、乗客用座席をモニュメントに対して現行の保証可能な距離よりも接近するように動かすことができる。これにより、航空機にさらなる乗客席の列を挿入することができる。しかしながら、これは本発明を限定するものではない。なぜならば、エアバッグシステムはモニュメントの後方部に位置づけられてきており、それにより保証される頭部衝突距離を減らすことができたためである。
【００１５】
クアーターネンス（Ｑｕａｔａｎｅｎｓ）の米国特許公開第２０１３／００８８０５６号及びジャーボー（Ｊａｒｂｏｅ）の米国特許公開第２０１３／０１０６０７９号の開示全てをここに援用して本文の記載の一部とする。
【発明を実施するための形態】
【００１６】
以下の記載及び図面は、例示であり、限定事項と解釈されるべきではない。開示の完全な理解を提供するために多数の具体的な詳細が記載されるが、場合によっては、説明がわかりにくくなるのを防ぐために、よく知られた又は従来的な詳細は記載されていない。本開示における一実施形態又はある実施形態への言及は、同じ実施形態への言及とすることが出来るが、必ずしもそうではなく、そのような言及は実施形態の少なくとも一つを意味する。
【００１７】
本明細書における「一実施形態」又は「ある実施形態」への言及は、実施形態に関連して記載される特定の特徴、構造又は特性が本開示の少なくとも一つの実施形態に含まれることを意味する。本明細書の様々な箇所において「一実施形態において」という語句が記載されているが、これらの記載は必ずしも全てが同じ実施形態に言及しているわけではなく、互いに他の実施形態を排除する別個の又は代替の実施形態でもない。さらに、様々な特徴が記載されるが、いくつかの実施形態はその特徴を示し得るがその他の実施形態はその特徴を示さないことがある。同様に、様々な要件が記載されるが、その要件はいくつかの実施形態の要件であり得るが、別の実施形態の要件ではないことがある。
【００１８】
本明細書で用いられる用語は、一般に、本開示の文脈内及び各用語が用いられる特定の文脈内において、当該技術分野における通常の意味を有する。開示を説明するために用いられている特定の用語は、当分野の実務者に対して本開示の記載に関するさらなる指針を与えるために、以下又は明細書のいずれかの場所において説明されている。便宜上、特定の用語は、例えばイタリック体及び／又は引用符を用いて強調され得る。強調を用いることによって用語の範囲及び意味が影響を受けることはなく、強調されているかいないかに関わらず、同じ文脈においては用語の範囲及び意味は同じである。
【００１９】
一つ以上の方法（やり方）で同じもの（こと）を表すことができることが理解されるだろう。したがって、本文で論じられる任意の一つ以上の用語のために代替的な言葉及び同義語が用いられ得る。本文において用語が詳述されているかどうか又は論じられているかどうかは特別な意義を持つべきではない。ある用語については同義語が提供される。一つ以上の同義語が述べられたとしても、その他の同義語が用いられることを除外するものではない。本文中で論じられる任意の用語の例を含め、この明細書中の任意の場所における例の使用は、単なる例示のみであり、開示又は任意の例示される用語の範囲及び意味をさらに限定することを意図するものではない。同様に、本開示はこの明細書で与えられる様々な実施形態に限定されない。
【００２０】
開示範囲をさらに限定することを意図することなく、本開示の実施形態に従う器具、装置、方法及びそれらに関する結果の例が以下に示される。なお、読み手の便宜のために、例において見出し又は小見出しを用い得るが、決して開示の範囲を限定するものではない。別段の定めがない限り、本文で使用される全ての技術用語及び科学的用語は、本開示が属する技術分野における通常の技能を有する者が一般的に理解する意味と同じ意味を有する。係争の場合には、定義を含め、本文書が優先とされるであろう。
【００２１】
本文で用いられる「前」、「後」、「頂部」、「底部」、「側部」、「短い」、「長い」、「上」、「下」、「後方」、「前方」、「機内の」、「機外の」及び「下方」のような用語は、単に説明しやすさのためであり、図面に示されるような構成部品の向き（位置付け）について言及していることが理解されるべきである。本文に記載される構成部品のいかなる向きも本発明の範囲内にあることが理解されるべきである。
【００２２】
さらに、本文に記載されるクローゼットモニュメントアセンブリの構成部品に関する「後方」、「前方」、「内（内方）」、「外（外方）」の使用は、クローゼットモニュメントアセンブリが航空機内に位置づけられる場合の向きについて言及していることが理解されるであろう。
【００２３】
図面について、図示は本発明を図版で示すことが目的であり、本発明を限定することが目的ではない。図１〜１３は、クローゼットモニュメント１２に組み込まれたエアバッグシステム１０の実施形態を示している（本文において概して、エアバッグシステム１０とクローゼットモニュメント１２とを合わせてクローゼットモニュメントアセンブリ１４と称する）。特に、本発明は、民間旅客機での使用が意図されているが、これは本発明を限定するものではなく、エアバッグシステムは任意の場所で用いることが出来る。
【００２４】
好ましい実施形態において、クローゼットモニュメントアセンブリ１４は航空機の前方部において設置されるように構成される。しかしながら、これは本発明を限定するものではない。クローゼットモニュメントアセンブリ１４は航空機における任意の位置に設置することが出来る。
【００２５】
エアバッグシステム１０は、その他の航空機のモニュメント又は航空機の構成部品に設けることが出来、クローゼットに限定される必要はないことが理解されるべきである。例えば、エアバッグシステム１０は化粧室モニュメントの壁内もしくは壁上に位置づけることが出来、調理室モニュメントの壁内もしくは壁上に位置づけることが出来、又は乗客もしくは乗務員の座席の前方に位置づけられる任意のその他の隔壁もしくは構成部品内又はその他の隔壁もしくは構成部品上に位置づけられることが出来る。本文において、クローゼットモニュメントを用いているのは単に例示のためである。
【００２６】
図１〜５に示されるように、クローゼットモニュメントアセンブリ１４は一般に、クローゼットモニュメント１２及びエアバッグシステム１０を含む。クローゼットモニュメント１２は一般に、協働してモニュメント内部１２ａを画定する前方壁１６、後方壁１８、内方壁１７及び外方壁１９を含む。クローゼットモニュメント１２はまた、第１、第２、第３収納室２０ａ、２０ｂ、２０ｃ（これらはドア２１ａ、２１ｂ及び２１ｃを含む）を含む。知られているように、クローゼットモニュメント１２は、航空機の内壁にぴったりと合うように形作られている。第１、第２及び第３収納室２０ａ、２０ｂ及び２０ｃが図面に示されているが、いかなる数の収納室も本発明の範囲内である。
【００２７】
好ましい実施形態において、後方壁１８は、上部パネル２４、下部パネル２６及びそれらの間の中間パネル２８を含む。好ましくは、図３に示すように、後方壁１８は、着席した乗客から離れるように直線状又は曲線状に角度を付けられて曲げられて、さらなる足用の空間を提供するフットレスト（足のせ台）パネル３０を含む。言い換えると、フットレストパネル３０は下部パネル２６から前方壁１６に向かって下方に角度を付けられて曲がっている。図６に示すように、別の実施形態において、フットレストパネル３０は床から離間させることが出来、地面に対して概して平行に、後方に延在させることが出来る。言い換えると、フットレストパネル３０は０°（垂直）から９０°（水平）の間の任意の角度で延在させることが出来る。
【００２８】
好ましい実施形態において、エアバッグシステム１０は、エアバッグ室３４内において、後方壁１８に近接して又は後方壁１８に固定されて位置づけられたエアバッグモジュール３２を含む。好ましくは、エアバッグシステム１０はクローゼットモニュメント１２の上部に設けられ、したがってエアバッグモジュール３２は後方壁１８の上部パネル２４に近接して位置づけられるか又は上部パネル２４に固定される。しかしながら、これに限定されるわけではなく、エアバッグモジュール３２はまた、下部パネル２６、中間パネル２８もしくはこれらのパネルのいずれかの組み合わせに近接して位置づけられることが可能であり、又は、下部パネル２６、中間パネル２８もしくはこれらのパネルのいずれかの組み合わせに対して固定されることが可能である。
【００２９】
図４Ａ〜５Ａに示すように、好ましい実施形態において、エアバッグモジュール３２は、前面３６ａ及び後面３６ｂを有するエアバッグ支持プレート３６を含む。好ましくは、エアバッグ支持プレート３６の後面３６ｂに一つ以上のエアバッグ３８が取り付けられ、エアバッグ３８の動作に必要な付加的な構成部品がエアバッグ支持プレート３６の前面３６ａに取り付けられる。このような付加的な構成部品は、動力制御盤４０、ＲＦＩＤアンテナ４２、インフレータタンク４４及びインフレータチューブ４６を含むがこれらに限定されない。エアバッグ支持プレート３６においてこれらの構成部品を位置づけることは、本発明を限定するものではない。例えば、これらの構成部品のいくつか、いずれか又は全てを、モニュメントのその他の壁もしくはパネル上に位置づけること、又はその他の壁もしくはパネルに固定することが可能であり、又はモニュメント内又はその他の場所における任意の空いた場所に位置づけることが可能である。図４Ａに示されるように、好ましい実施形態において、エアバッグ支持プレート３６は、後方壁１８に取り付けるためのねじ、支柱又は任意の型の固定手段４８を含む。
【００３０】
図１Ａ〜１Ｃに示すように、好ましい実施形態において、上部パネル２４には部分的な切れ目又は切り込み５０が形成されており、それにより展開したエアバッグ３８が後方壁１８を破って通り抜け易くなる。別の実施形態において、上部パネル２４又は後方壁１８は、引裂シーム（図１Ｄ及び以下のさらなる記載を参照）、断層線、一連の破線／切れ目、又はその他の弱化線を含むことが出来る。別の実施形態において、切り込み５０の少なくとも一部分は、後方壁１８を貫通する切り込みとすることが出来る。別の実施形態において後方壁１８は、弱化線を創出する織物（ファブリック）等をその中に有する引裂シームを含むことが出来る。引裂シームを、パネルそのものと一体形成する（すなわちハニカムパネル）か、又はパネルを覆う装飾フィルムもしくは織物と一体形成することが出来る。好ましくは、図１Ｂに示すように、切り込み５０は前面２４ａに形成され、後面２４ｂに至るまでは延在しない。この実施形態において、上部パネル２４は壊れやすいが、乗客にはいかなる切れ目も見えないか、又は、乗客はエアバッグが壁の向こうに位置づけられていることに気付かないだろう。エアバッグが仕切りやモニュメント等の壁、パネル、フィルム、織物等を突き破れるようにする、いかなる弱化線も本発明の範囲内である。したがって、本文に記載された又は当業者に知られた任意の切り込み、切れ目、引裂シーム、弱化線、破線、点線等は、本文において概して弱化線として称される。
【００３１】
切り込みについて、いかなる切り込みの形状（断面形状）も本発明の範囲内であるが、図１Ｂに示すような「Ｖ字型」の切り込みの形状が好ましい。例えば、０°から７０°の間の角度とすることが出来る。別の実施形態において、切り込みは「Ｕ字型」形状を有することが出来、その底面は曲面又は図１Ｃに示すような平面とすることも可能である。さらに、図１Ａに示すように、好ましい実施形態において、切り込み５０は、協働して頂部ヒンジ部５０ｄを画定する右切り込み、底部切り込み及び左切り込み５０ａ、５０ｂ及び５０ｃを有するフラップ５２を画定する。この実施形態において、フラップ５２の頂部には切り込みが形成されておらず、それにより頂部ヒンジ部５０ｄが創出されている。エアバッグ３８が展開する際には、フラップ５２と位置合わせされたエアバッグ３８が後方壁１８を突き破るが、フラップ５２は分離せず、その代わりに上方に旋回（回動）する。これは乗客を保護する助けとなる。別の実施形態において、フラップ５２は、協働して底部ヒンジ部を画定する左切り込み、右切り込み及び頂部切り込みを含む。また、左ヒンジ部及び右ヒンジ部も本発明の範囲内である。別の実施形態において、フラップ５２をその周り全てにおいて延在する弱化線５０によって画定することが出来る。この実施形態において、フラップ５２は後方壁１８から完全に引き剥がされる。好ましい実施形態において、エアバッグ室３４はエアバッグアクセスドア５４を含む。それによりエアバッグシステム１０へのアクセスが可能となり、メンテナンスを実施することができる。後方壁１８の後面上には乗客には何も見えないことが好ましいが、図１にはフラップ５２及び切り込みが隠れ線で示されていることが理解されるだろう。
【００３２】
図３に示すように、好ましい実施形態において、後方壁１８は中間パネル２８を含む。中間パネル２８は、図示されるように湾曲していてもアーチ状とすることが出来、又は図１７、１８に示すように直線的とすることが出来る。中間パネル２８はクローゼットモニュメント１２の上部５６と下部５８との間に位置づけられることが理解されるだろう。図３に最もよく示されるように、好ましい実施形態において、下部５８は、前から後ろまでの寸法（ここでは「奥行」と称される）が上部５６よりも小さい。したがって上部５６の奥行Ｄ１は、下部５８の奥行Ｄ２よりも大きい。それにより、従来技術のモニュメントが位置づけられた場所よりも後方に、クローゼットモニュメントアセンブリ１４を位置づけることができる。これが可能となるのは、下部５８によって乗客に十分ゆとりのある脚又は足用の空間が提供されるが、エアバッグ３８が上部５６の中に位置づけられた結果として上部５６が後ろに移動することが許容されるためである。結果として、クローゼットモニュメントアセンブリ１４の前方壁１６は、従来技術のモニュメントの前方壁が位置づけられる場所よりも後方に位置づけられる。それにより、航空機内により多くの座席を設置できる可能性が生じる。
【００３３】
図６〜１３はクローゼットモニュメントアセンブリ１４のその他の実施形態を示している。クローゼットのドアなどのような細部の多くは、図面の幾つかから省略されていることが理解されるだろう。しかしながら、図１〜５に示される構成部品はいずれも、その他の実施形態の範囲内である。
【００３４】
図６は、エアバッグ室３４又はエアバッグハウジングがクローゼットモニュメント１２の後方壁１８に固定されたクローゼットモニュメントアセンブリ１４を示している。さらに、後方壁１８は航空機の床から間隔を空けて配置され、乗客にさらなる足用の空間を提供する。
【００３５】
図７は、エアバッグ３８が格納されているエアバッグ室３４又はエアバッグハウジングの幅がクローゼットモニュメント１２の幅とほぼ同じである発明の実施形態を示す。しかしながら、これは本発明を限定するものではない。エアバッグ３８、及び／又はエアバッグ３８が格納されたエアバッグハウジングもしくはエアバッグ室３４は、任意の幅を有することが出来る。また、図７Ａ、７Ｂに示すように、ハウジングをモニュメントの内側に配置することが出来、又はモニュメントの外側に取り付けることが出来る。また、図７Ａ、７Ｂは、エアバッグ３８（又は複数のエアバッグ３８）が展開した後に外方へ破裂したフラップ５２を示している。
【００３６】
任意の数のエアバッグ及び任意の形状のエアバッグが本発明の範囲内であることを当業者は理解するだろう。例えば、図８に示すように、エアバッグ３８は丸みを帯びた形状（球形）とすることが出来る。さらに、球形エアバッグ３８を個々の乗客又は１人以上の乗客と関連付けることが可能である（例えば、一つのモニュメントに対して一つの球形エアバッグ）。あるいは、図９に示すように、エアバッグ３８を矩形とすることが出来る。さらに、各座席は、各座席に関連する１つのエアバッグ３８又は複数のエアバッグ３８を有することが出来る。あるいは、図９に示すように、一つの（単一の）エアバッグ３８を一つ以上の座席又は列全体に関連付けることが出来る。
【００３７】
図１０に示すように、別の実施形態において、複数のエアバッグ３８が一つの座席に関連付けられて、乗客の体の異なる部分を保護することが出来る。例えば図１０に示すように、乗客の頭部、並びに腕、膝及び／又は足などの乗客の頭部の下の体の部分を保護するために、別々のエアバッグ３８が位置づけられる。この実施形態において、別々のエアバッグモジュール３２を、互いに対して垂直に間隔をあけて設けることが出来る。図１１、１２に示すように、別の実施形態において、一つの（単一の）大きなエアバッグ３８を展開させて乗客の体の複数の部分を保護することが出来る。
【００３８】
図１３〜１６は、エアバッグシステム１０が、展開したエアバッグ３８を所望されるように位置づける助けとなる複数の固定点６０を含む、別の実施形態を示す。例えばエアバッグシステム１０は、エアバッグ室３４の下方に配置されてエアバッグ３８の下部を位置づける（位置決めする）助けとなる複数の繋ぎ紐（テザー）６２を含むことが出来る。これらの繋ぎ紐６２は、必要に応じて、弱化線等を介して後方壁１８を突き破ることができる。
【００３９】
エアバッグは、当該技術分野において知られた任意の方法によって展開する又は膨らむことができる。例えば、エアバッグをガスインフレータ、パイロ（火工）インフレータ、又はそれらを組み合わせたものを用いて膨らませることが出来る。
【００４０】
図１９〜２６は、調理室モニュメント７０に組み込まれたエアバッグシステム１０を含む本発明の別の実施形態を示している（本文においては概して、エアバックシステム１０と調理室モニュメント７０を合わせて調理室モニュメントアセンブリ７２と称する）。エアバッグシステム１０及びモジュールが調理室モニュメントに含まれることは単なる例示であり、エアバッグシステムを乗客の前方に位置づけられた任意のモニュメント、仕切り、壁等に含ませることが出来ることが理解されるだろう。図１９に示されるように、この調理室モニュメントアセンブリは、好ましくは、後方壁１８に位置づけられた３個の別々のエアバッグモジュール３２を含み、これらのエアバッグモジュール３２はそれぞれが一人の乗客又は一つの座席に関連付けられている。図１９は、エアバッグモジュール３２が見えるように切り欠かれた後方壁１８の一部分を示していることが理解されるだろう。好ましい実施形態において、各エアバッグモジュール３２は壁１８に完全に一体的に形成されている（壁１８は好ましくはハニカムパネルである）。
【００４１】
図２０に示すように、好ましい実施形態において、エアバッグモジュール３２は、エアバッグ支持プレート３６を含み、クランプ７４等によりエアバッグ支持プレート３６の前面３６ａにインフレータタンク４４が固定されている。折り畳まれたエアバッグ３８は後面３６ｂに固定されている。また、エアバッグモジュールは、インフレータタンク４４をエアバッグ３８に接続するために必要なインフレータチューブもしくはインフレータホース４６（又は複数のインフレータチューブもしくはインフレータホース４６）を含む。好ましい実施形態において、エアバッグ支持プレート３６、インフレータタンク４４、エアバッグ３８、一つ又は複数のインフレータチューブ４６及びその他の必要な構成部品を含むエアバッグモジュール３２は、後方壁１８に据え付け可能な一つの（単独の）ユニットである。
【００４２】
図２１に示すように、別の実施形態において、インフレータタンク４４は離れた場所に設置可能である。言い換えると、インフレータタンク４４はエアバッグ支持プレート３６の表面以外の場所に設置可能であり、エアバッグモジュール３２の残りの部分から分離される。さらに、別の実施形態において、エアバッグモジュール３２は、メンテナンスのためにエアバッグ３８及び／又はエアバッグモジュール３２へのアクセスをもたらす、取り外し可能なカバー又はドア７６を含むことが出来る。異なる実施形態において、インフレータタンク４４はドア７６に搭載することも出来るし、ドア７６から離すことも出来る。
【００４３】
図２２〜２５は、調理室モニュメント７０の後方壁１８（又は任意のその他のモニュメント又は壁）に一体的に形成されたエアバッグモジュール７８を示す。一般にこの実施形態は、モニュメントの後方壁１８におけるフラップ５２、フラップを画定する引裂シーム８２を含む弱化線、及びエアバッグが展開した時に引き剥がされる後方ドア又はカバー８４に近接して固定されたエアバッグ３８を提供する。この実施形態において、後方壁１８には、エアバッグ３８、エアバッグ支持プレート３６、カバー又は前方ドア７６、及び機械的な境界ヒューズ又は引裂シーム８２を少なくとも部分的に格納する開口８０が形成されている。引裂シーム８２は、後方壁１８の材料より構造的に弱い任意の材料であって、後方ドア８４が引き剥がされてエアバッグ３８が展開できるようにする任意の材料で形成出来る。例えば、引裂シーム８２は発泡体（スポンジ）、織物又はその他の充填材から形成出来る。好ましい実施形態において、後方壁１８、後方ドア８４、エアバッグ等は装飾フィルム８６によって覆われ、これはエアバッグ及び関連構成部品を隠す助けとなる。図２２に示すように引裂シーム８２は装飾フィルム８６内へと延在可能である。
【００４４】
好ましい実施形態において、エアバッグモジュール７８は、前方ドア７６を後方壁１８に機械的に取り付けるとともに、エアバッグ３８及び関連構成部品を点検修理するために前方ドア７６が開くようにするフレキシブルストラップ又はファブリックヒンジ（織物ヒンジ）８８を含む。
【００４５】
図２７は、エアバッグモジュール９０を含む別の実施形態を示し、該エアバッグモジュール９０は、モニュメントの後方壁１８に固定されるとともに、インフレータタンク４４、エアバッグ３８及びその他の必要な構成部品を、弱化線５０をその中に有するハウジング９２内に備える。図示されるように、ハウジング９２、エアバッグ３８及びインフレータタンク４４は、エアバッグモジュール９０を後方壁１８に固定するための固定部品又は取付け部品９４を含む。好ましい実施形態において、ハウジングはポリカーボネート等から形成され、ハウジング９２の上部９２ａは滑らかに湾曲している。このことは、エアバッグが展開してハウジング９２が上方にヒンジ式（蝶番式）に動いたときにハウジング９２が壊れるのを防ぐ助けとなる。
【００４６】
明細書及び特許請求の範囲に渡って、文脈上明らかに他の意味に解すべき場合を除き、「含む」、「備える」、「有する」等の用語は、排他的又は網羅的な意味ではなく、包括的な意味すなわち「含むがそれに限定されない」という意味で解釈されるべきである。本文において用いられるように、「接続される」、「連結される」又はそれらを変形した任意の用語は、二つ以上の構成要素の間の直接的又は間接的な任意の接続又は連結を意味する。構成要素間の連結又は接続は、物理的、論理的又はそれらの組み合わせにすることが出来る。さらに、「本文において」、「上記において」、「下記において」という語及び似た趣旨の語がこの出願において用いられる場合、この出願の全体について言及するものであって、この出願のいかなる特定の部分に言及するものではない。文脈により許容される場合、上記の「発明を実施するための好ましい形態」における単数又は複数を使用した用語は、それぞれ複数又は単数をも含んでよい。二つ以上の項目のリストに関する「又は」という用語は、以下の用語の解釈、すなわち、リスト内の項目のいずれか、リスト内の項目の全て及びリスト内の項目の任意の組み合わせという解釈の全てをカバーする。
【００４７】
上記において詳述された開示の実施形態は、網羅的であること、又は本発明の教示を上記で開示されたまさにその形態に限定することを意図するものではない。開示の具体的な実施形態及び例は例示を目的として上述されているが、関連する技術分野における通常の技能を有する者が理解するように、開示の範囲内において様々な同等の改変が可能である。さらに、本文に記載された具体的な数値はいずれも単なる例である。代替的な実行において、異なる値、寸法（計測値）又は範囲を用いてもよい。
【００４８】
本文に記載される開示の教示は、必ずしも上記のシステムに限らず、その他のシステムに適用可能である。上記の様々な実施形態の要素及び動作を組み合わせて更なる実施形態を提供することが出来る。本文において記載され又は用いられた寸法はいずれも単なる例示であり、本発明を限定するものではない。その他の寸法を用いることもできる。
【００４９】
添付の出願書類に列挙され得る任意の参考文献も含め、上述のいかなる特許、出願及びその他の参考文献について、それらの開示全てをここに援用して本文の記載の一部とする。本開示の態様は、上記の様々な参考文献のシステム、機能、概念を用いるために必要に応じて改変可能であり、本開示のさらなる実施形態を提供することが出来る。
【００５０】
本開示に対するこれらの変更及びその他の変更は、上記の「発明を実施するための好ましい形態」を考慮して行うことが出来る。上記説明は開示のある実施形態について説明しており、予想される最良の形態を説明しているが、上記説明が文中でいかに詳細に記載されるように見受けられているとしても、多くの方法で本教示を実行することができる。システムの詳細はその実行の詳細によって非常に異なっていてよいが、それでも本文で開示される主題事項に包含される。上述したように、本開示のある特徴又は態様を説明する場合に用いられる特定の用語は、その用語が関連付けられている開示のいかなる具体的な特性、特徴又は態様に限定されるためにその用語が本文中で再定義されることを暗示していると解釈されるべきではない。一般に、以下の特許請求の範囲において用いられる用語は、上記「発明を実施するための好ましい形態」の部分で明示的にそのような用語を定義していない限り、本開示を明細書中の具体的な実施形態に限定することを意図するものではない。したがって、本開示の実際の範囲は、開示された実施形態だけでなく、特許請求の範囲の下で本開示を実行又は実施する全ての等価な方法も包含する。
【００５１】
本開示のある態様が、以下において特定の請求項の形式で表されるが、本発明者らは、任意の数の請求項の形式において、開示の様々な態様を企図している。例えば、開示の態様の一つのみが、米国特許法第１１２条第６パラグラフの下でミーンズプラスファンクションクレーム（機能表現請求項）として記載されているが、他の態様も同様にミーンズプラスファンクションクレームとして具体化されてよく、又はコンピュータ読み取り可能な媒体において具体化される等のその他の形式で具体化されてもよい（米国特許法第１１２条第６パラグラフの下で扱われることが意図されている請求項はいずれも、「〜するための手段」という語を含むだろう）。したがって、出願人は、出願後に更なる請求項を追加して、本開示のその他の態様のためのこのような追加の請求形式を追及する権利を留保する。
【００５２】
したがって、本発明の例示的な実施形態が示され、説明されたが、本文中で用いた用語は全て、限定的ではなくむしろ非制限的（説明的）なものであり、当該技術分野において通常の技能を有する者であれば本発明の精神又は範囲から逸脱することなしに多くの変更、改変（改造）及び代用を行い得ることが理解されるべきである。
【図１】
2015522466.tif 000003
【図１Ａ】
2015522466.tif 000004
【図１Ｂ】
2015522466.tif 000005
【図１Ｃ】
2015522466.tif 000006
【図１Ｄ】
2015522466.tif 000007
【図２】
2015522466.tif 000008
【図３】
2015522466.tif 000009
【図４】
2015522466.tif 000010
【図４Ａ】
2015522466.tif 000011
【図５】
2015522466.tif 000012
【図５Ａ】
2015522466.tif 000013
【図６】
2015522466.tif 000014
【図７】
2015522466.tif 000015
【図７Ａ】
2015522466.tif 000016
【図７Ｂ】
2015522466.tif 000017
【図８】
2015522466.tif 000018
【図９】
2015522466.tif 000019
【図１０】
2015522466.tif 000020
【図１１】
2015522466.tif 000021
【図１２】
2015522466.tif 000022
【図１３】
2015522466.tif 000023
【図１４】
2015522466.tif 000024
【図１５】
2015522466.tif 000025
【図１６】
2015522466.tif 000026
【図１７】
2015522466.tif 000027
【図１８】
2015522466.tif 000028
【図１９】
2015522466.tif 000029
【図２０】
2015522466.tif 000030
【図２１】
2015522466.tif 000031
【図２２】
2015522466.tif 000032
【図２３】
2015522466.tif 000033
【図２４】
2015522466.tif 000034
【図２５】
2015522466.tif 000035
【図２６】
2015522466.tif 000036
【図２７】
2015522466.tif 000037
【国際調査報告】
2015522466.tif 000038
2015522466.tif 000039
2015522466.tif 000040